(57)【特許請求の範囲】
【請求項１】
文字が割り当てられたキーを複数表示する第１の表示部と、
文字を表示する第２の表示部と、
押下物による入力がされると、前記複数のキー毎に設定され、該キーに割り当てられた文字を前記第２の表示部に表示するための入力領域のうち、入力された入力領域を検出する入力検出部と、
文字配列パターンを記憶する記憶部と、
前記入力検出部が入力領域への入力を検出すると、前記入力領域に対応するキーの文字を表示するように前記第２の表示部を制御する制御部と、を備え、
前記制御部は、前記入力検出部が複数の入力領域にまたがる入力を検出すると、前記第２の表示部に表示されている文字と前記記憶部に記憶されている文字配列パターンとの比較により、前記複数の入力領域にまたがる入力で入力されるべき文字を予測し、該予測された文字が割り当てられたキーの入力領域を、前記予測により予測されていない文字が割り当てられたキーの入力領域よりも大きくするように設定し、該設定後の入力領域に基づき、前記入力の前記接触の度合いが最も大きい入力領域に対応するキーの文字を表示するように前記第２の表示部を制御することを特徴とする入力装置。
【請求項２】
文字が割り当てられたキーを複数表示する第１の表示部と、
文字を表示する第２の表示部と、
押下物による入力がされると、前記複数のキー毎に設定され、該キーに割り当てられた文字を前記第２の表示部に表示するための入力領域のうち、入力された入力領域を検出する入力検出部と、
文字配列パターンが記憶されているサーバと通信を行う通信部と、
前記入力検出部が入力領域への入力を検出すると、前記入力領域に対応するキーの文字を表示するように前記第２の表示部を制御する制御部と、を備え、
前記制御部は、前記入力検出部が複数の入力領域にまたがる入力を検出すると、前記第２の表示部に表示されている文字と前記サーバに記憶されている文字配列パターンとを前記通信部を介して前記サーバと通信を行うことにより比較し、該比較により、前記複数の入力領域にまたがる入力で入力されるべき文字を予測し、該予測された文字が割り当てられたキーの入力領域を、前記予測により予測されていない文字が割り当てられたキーの入力領域よりも大きくするように設定し、該設定後の入力領域に基づき、前記入力の前記接触の度合いが最も大きい入力領域に対応するキーの文字を表示するように前記第２の表示部を制御することを特徴とする入力装置。
【発明の詳細な説明】
【技術分野】
【０００１】
本発明は、文字入力用の入力装置に関するものである。
【背景技術】
【０００２】
文字を入力するための入力装置には、例えば、機械式のキーボード若しくはテンキーを有するもの又はキーボードやテンキー等が表示されたタッチパネルを有するものがある。タッチパネルは、キーレイアウトの自由度の高さや、直感的な操作が可能であることなど多くの利点を有している。このため、近年、タッチパネルを搭載した入力装置が急激に増加している。タッチパネルに入力する際にはタッチパネルに複数のキーを表示する必要があるが、表示領域の小さいタッチパネルにテンキーやフルキーボード等の入力を受け付けるためのキーを表示すると、表示されるキーがユーザの指の面積よりも小さくなってしまう場合がある。この場合ユーザは、指でタッチパネルへの入力を行うと、誤って複数のキーを押下してしまうことがある。
【０００３】
複数のキーが同時に押下された場合の従来のタッチパネルの動作について図１１及び図１２を用いて説明する（例えば特許文献１参照）。図１１は、ユーザが複数のキーを押下している様子を示している。具体的には、ユーザがローマ字入力で「honjitsuha（ほんじつは）」と入力する際に、１０文字目「a」の入力のためにキー「A」を押下しようとして、誤って「A」及び「S」を押下している様子である。従来のタッチパネルでは、ユーザの指が複数のキーにまたがって触れた場合、指とキーとの接触面積の大きい文字がディスプレイに表示されることになる。キー「A」に関する接触面積５３１よりもキー「S」に関する接触面積５３２が大きいため、図１２のように、ユーザが意図する「A」ではなく、キー「S」に対応する文字「s」が表示されることになる。
【先行技術文献】
【特許文献】
【０００４】
【特許文献１】特開平０５−１２７７９６号公報
【発明の概要】
【発明が解決しようとする課題】
【０００５】
従来のタッチパネルでは、ユーザが複数のキーを押下してしまった場合、ユーザの指と意図するキーとの接触面積が最も大きくない限り、誤った文字が表示されることになる。キーの大きさが小さくなるほど、接触面積が最も大きくなるように意図するキー（正しいキー）を押下することは難しくなる。意図しない文字（誤った文字）が表示された場合は、ユーザは、表示された文字を削除し、正しい文字に対応するキーを押下し直さなければならない。この作業は手間である。
【０００６】
従って、上記のような従来技術の問題点に鑑みてなされた本発明の目的は、誤って複数のキー（入力領域）にまたがる入力が行われた場合に、正しい文字が表示されやすい入力装置を提供することにある。
【課題を解決するための手段】
【０００７】
上述した諸課題を解決すべく、第１の観点による入力装置は、
文字が割り当てられたキーを複数表示する第１の表示部と、
文字を表示する第２の表示部と、
押下物による入力がされると、前記複数のキー毎に設定され、該キーに割り当てられた文字を前記第２の表示部に表示するための入力領域のうち、入力された入力領域を検出する入力検出部と、
文字配列パターンを記憶する記憶部と、
前記入力検出部が入力領域への入力を検出すると、前記入力領域に対応するキーの文字を表示するように前記第２の表示部を制御する制御部と、を備え、
前記制御部は、前記入力検出部が複数の入力領域にまたがる入力を検出すると、前記第２の表示部に表示されている文字と前記記憶部に記憶されている文字配列パターンとの比較により、前記複数の入力領域にまたがる入力で入力されるべき文字を予測し、該予測された文字が割り当てられたキーの入力領域を、前記予測により予測されていない文字が割り当てられたキーの入力領域よりも大きくするように設定し、該設定後の入力領域に基づき、前記入力の前記接触の度合いが最も大きい入力領域に対応するキーの文字を表示するように前記第２の表示部を制御することを特徴とする。
【０００８】
また、第２の観点による入力装置は、
文字が割り当てられたキーを複数表示する第１の表示部と、
文字を表示する第２の表示部と、
押下物による入力がされると、前記複数のキー毎に設定され、該キーに割り当てられた文字を前記第２の表示部に表示するための入力領域のうち、入力された入力領域を検出する入力検出部と、
文字配列パターンが記憶されているサーバと通信を行う通信部と、
前記入力検出部が入力領域への入力を検出すると、前記入力領域に対応するキーの文字を表示するように前記第２の表示部を制御する制御部と、を備え、
前記制御部は、前記入力検出部が複数の入力領域にまたがる入力を検出すると、前記第２の表示部に表示されている文字と前記サーバに記憶されている文字配列パターンとを前記通信部を介して前記サーバと通信を行うことにより比較し、該比較により、前記複数の入力領域にまたがる入力で入力されるべき文字を予測し、該予測された文字が割り当てられたキーの入力領域を、前記予測により予測されていない文字が割り当てられたキーの入力領域よりも大きくするように設定し、該設定後の入力領域に基づき、前記入力の前記接触の度合いが最も大きい入力領域に対応するキーの文字を表示するように前記第２の表示部を制御することを特徴とする。
【発明の効果】
【０００９】
上記のように構成された本発明にかかる入力装置によれば、誤って複数のキー（入力領域）にまたがる入力が行われたとしても、正しい文字が表示されやすくすることができる。
【図面の簡単な説明】
【００１０】
【図１】図１は、本発明の一実施形態に係る入力装置の概略構成を示す機能ブロック図である。
【図２】図２は、図１の入力装置が行う処理を示すフローチャートである。
【図３】図３は、図１の表示部の表示画面例である。
【図４】図４は、図１の表示部の表示画面例である。
【図５】図５は、図１の触感呈示部が呈示する振動例である。
【図６】図６は、ユーザが複数のキーを押下している様子を示す図である。
【図７】図７は、本発明の一実施形態に係る入力領域を示す図である。
【図８】図８は、本発明の一実施形態に係る接触面積を示す図である。
【図９】図９は、図１の表示部の表示画面例である。
【図１０】図１０は、本発明の一実施形態に係る入力領域を示す図である。
【図１１】図１１は、ユーザが従来のタッチパネルの複数のキーを押下している様子を示す図である。
【図１２】図１２は、従来のタッチパネルの表示画面例である。
【発明を実施するための形態】
【００１１】
以下、本発明の実施形態について、図面を参照して説明する。
【００１２】
図１は、本発明の一実施形態に係る入力装置の概略構成を示す機能ブロック図である。本発明の入力装置１０１の一例としては、ＰＤＡ（Personal Digital Assistant）、携帯電話端末、携帯音楽プレイヤー、携帯テレビ、銀行のＡＴＭ（Automated Teller Machine）、駅の券売機が挙げられる。この入力装置１０１は、表示部１０３及び入力検出部１０４を備えるタッチパネル１０２と、記憶部１０５と、触感呈示部１０６と、制御部１０７とを有する。
【００１３】
表示部（第１の表示部及び第２の表示部）１０３は、文字を入力するためのキー又はボタン（以下、キー、ボタン及び文字を入力するためのオブジェクト等を、キーと略する）、及び入力された文字を表示するもので、例えば、液晶表示パネルや有機ＥＬ表示パネル等を用いて構成される。なお、文字とは、ひらがな、片仮名、アルファベットのみならず、数字や記号等も含むものとする。キーには、文字が割り当てられている。キーに対して入力が行われると、当該キーに割り当てられた文字が表示部１０３に表示される。つまり、キーは、文字に対応する入力領域を示すものである。ある入力領域に入力が行われると、当該入力領域に対応するキーに割り当てられている文字が表示部１０３に表示される。なお、入力領域は、常にキーの面積に固定されるわけではなく、入力領域をキーよりも広く（又は狭く）設定することもできることに留意されたい。以下、本実施形態では、複数のキーにまたがる入力が行われない限り、キーの形状と入力領域とは一致しているものとする。また、入力領域（キー）に対応する文字とは、例えば、入力領域に対応するキーの文字、入力領域に対応するキーに割り当てられた文字との意味である。
【００１４】
入力検出部１０４は、ユーザの指やスタイラスペン等（押下物）による入力を検出するもので、抵抗膜方式、静電容量方式、光学式等の公知の方式のもので構成される。入力検出部１０４は、特に、文字に対応する入力領域（キー）への入力を検出する。なお、入力検出部１０４が入力を検出する上で、押下物が入力検出部１０４を物理的に押下することは必須ではない。例えば、入力検出部１０４が光学式である場合は、入力検出部１０４は入力検出部１０４上の赤外線が指やスタイラスペン等で遮られた位置を検出するため、押下物が入力検出部１０４を押下することは不要である。
【００１５】
入力検出部１０４は、何れの入力領域（キー）への入力が行われたかを検出するとともに、更に、検出された入力領域（キー）と押下物との接触の度合い（例えば、面積や圧力）も検出するもので、例えば、接触面積に応じて出力電圧が変化する面積センサや接触圧力に応じて出力電圧が変化する圧力センサの機能も有するものとする。以下、本実施形態では、接触の度合いとは接触面積を指すものとする。
【００１６】
記憶部１０５は、入力された各種情報や、（正しい）文字配列パターンなどを記憶するとともに、ワークメモリ等としても機能する。（正しい）文字配列パターンとは、辞書に記載されているような（言語として正しい）単語や文章又はローマ字入力において（正しく）かな変換されるアルファベットの配列である。
【００１７】
触感呈示部１０６は、入力検出部１０４を振動させ、入力検出部１０４を押下しているユーザの指やスタイラスペンなど（押下物）に触感を呈示するもので、例えば、圧電素子などの振動素子を用いて構成される。呈示する触感は、何らかの振動であればよく、周波数、周期（波長）、振幅、波形を、呈示する触感に応じて適宜設定することができる。
【００１８】
制御部１０７は、入力装置１０１の各機能ブロックをはじめとして入力装置１０１の全体を制御及び管理する。ここで、制御部１０７は、ＣＰＵ（中央処理装置）等の任意の好適なプロセッサ上で実行されるソフトウェアとして構成したり、処理ごとに特化した専用のプロセッサ（例えばＤＳＰ（デジタルシグナルプロセッサ））によって構成したりすることができる。制御部１０７は、入力検出部１０４が入力領域への入力を検出すると、入力領域に対応するキーの文字を表示するように表示部１０３を制御する。制御部１０７の行うその他の処理については、後述の図２の説明にて詳述する。
【００１９】
以下、ユーザが「ほんじつは」と入力しようとする場合について説明する。なお、本実施形態では、入力方法は日本語（かな文字）のローマ字入力であるとする。ユーザは「H」「O」「N」「J」「I」「T」「S」「U」「H」「A」の入力を試み、「A」の入力の際、誤って「S」のキーも押下してしまったとする。
【００２０】
図２は、図１の入力装置が行う処理を示すフローチャートである。図３は、表示部の表示画面例である。表示部１０３は、例えば図３のようにメイン表示部（第２の表示部）１１１及びキー表示部（第１の表示部）１１２で構成されている。キー表示部１１２は、ユーザが入力を行うためのものであり、文字が割り当てられたキーを複数表示する。メイン表示部１１１は、キー表示部１１２への入力結果を表示させるためのものであり、文字を表示する。
【００２１】
まず、キー表示部１１２に表示されたキーへの入力が、ユーザの指やスタイラスペン等の押下物によって行われると、入力検出部１０４は、この入力を検出する（ステップＳ１０１）。つまりステップＳ１０１で、どのキー（入力領域）に対する入力であるのかが検出されることになる。
【００２２】
続いて、入力検出部１０４の検出結果に基づいて、制御部１０７は、キーへの入力が複数のキーにまたがる入力であるか否かを判断する（ステップＳ１０２）。１つの所望のキーのみへの入力が行われた場合（ステップＳ１０２のＮｏ）、制御部１０７は、検出された入力に対応する文字をメイン表示部１１１に表示すべき文字として受け付ける（ステップＳ１０３）。そして、制御部１０７は、表示すべき文字がかな文字に対応する場合（例えば、表示すべき文字が母音（「A」「I」「U」「E」「O」））は、表示すべき文字をかな変換してメイン表示部１１１に表示させる（ステップＳ１０４）。また、制御部１０７は、表示すべき文字がかな文字に対応しない場合（例えば、表示すべき文字が子音）は、表示すべき文字自体をメイン表示部１１１に表示させる（ステップＳ１０４）。つまり、メイン表示部１１１には、アルファベットが表示されることになる。「H」「O」「N」「J」「I」「T」「S」「U」「H」までの各入力により、メイン表示部１１１の表示は、図４のように、「h」、「ほ」、「ほn」、「ほんj」、「ほんじ」「ほんじt」、「ほんじts」、「ほんじつ」、「ほんじつh」の順に変化する。なお、このように、本明細書において、入力領域に対応するキーの文字（キーに対応する文字）をメイン表示部１１１（第２の表示部）に表示するといった場合、その入力領域に対応するキーに実際に割り当てられている文字（例えば、O）をそのまま表示する態様のみならず、入力に対応するキー実際に割り当てられている文字「O」を、既に表示すべき文字として受け付けられている（表示されている）「H」と関連付けて、「ほ」を表示するような態様も含まれることに留意されたい。また、本実施形態では、例えば、キー「H」にはアルファベットの大文字の「H」および小文字の「h」がそれぞれ割り当てられており、事前の設定によりキー「H」を入力することにより、「h」が表示されるようになっている。本明細書においてはアルファベットの大文字、小文字には特段の差異を持たせていない。受け付けられた文字をメイン表示部１１１に表示した後、制御部１０７は、触感呈示部１０６を制御して入力検出部１０４を振動させることにより、押下物に触感を呈示することができる（ステップＳ１０５）。例えば、制御部１０７は、触感呈示部１０６に図５のような一周期のサイン波を発生させて入力検出部１０４を振動させることができる。
【００２３】
次に、複数のキーにまたがる入力が行われる場合、つまり「A」の入力での文字の表示方法について説明する。以下、複数のキーにまたがる入力は、２つのキーにまたがる入力であるとして説明するが、３つ以上のキーにまたがる入力が行われた場合も同様である。なお、複数のキーにまたがる入力とは、複数のキーが押下された時間が完全に一致する入力だけでなく、通常の文字入力においてユーザが連続して２文字を入力する間隔と区別できるほど短い間隔での連続する複数のキーへの押下による入力も含む。閾値となるこの短い間隔とは、ユーザの押下速度やタッチパネルの処理速度等を勘案して自由に設定できる事項である。
【００２４】
まず、ユーザが図６のように、「A」及び「S」のキーの双方にまたがる入力を行ったとする。すると、入力検出部１０４がキー「A」及び「S」に対する入力であることを検出し（ステップＳ１０１）、制御部１０７は、当該入力が複数のキーにまたがる入力であると判断する（ステップＳ１０２のＹｅｓ）。
【００２５】
続いて、制御部１０７は、メイン表示部１１１に表示されている文字（文字列）を基に、次に入力されるべき文字を予測する（ステップＳ１０６）。当該予測は、例えば、記憶部１０５に記憶されている（正しい）文字配列パターンとメイン表示部１１１に表示されている文字（文字列）との比較により行われる。また、制御部１０７は、過去のユーザの入力履歴を記憶部１０５に記憶させ、入力履歴とメイン表示部１１１に表示されている文字（文字列）との比較により入力されるべき文字を予測することもできる。以下、制御部１０７は、かな文字に対応付けられるアルファベットの配列である（正しい）文字配列パターンに基づいて入力されるべき文字を予測するとする。前回の入力でメイン表示部１１１に表示されている「h」が（正しく）かな変換される（かな文字に対応付けられる）ために、今回の入力では、母音が入力される可能性が高い。そのため、制御部１０７は、母音（「A」「I」「U」「E」「O」）が入力されるべき文字であると予測する。つまり、表示されている文字が「h」であり、記憶部１０５に記憶されている文字配列パターンは、「ha」、「hi」、「hu」、「he」及び「ho」である。そして、「h」と「ha」、「hi」、「hu」、「he」及び「ho」とを比較することにより、入力されるべき文字が母音（「A」「I」「U」「E」「O」）と予測される。なお、ユーザは、「A」及び「S」のキーの双方にまたがる入力を行っているので、制御部１０７は、複数の入力領域にまたがる入力で入力されるべき文字として、「A」のみ予測してもよい（複数の入力領域にまたがる入力において、その複数の入力領域にそれぞれ対応づけられたキーの文字のうちから入力されるべき文字を予測してもよい）。
【００２６】
そして、制御部１０７は、予測された文字に対応する入力領域を拡大し、該予測により予測されていない文字の入力領域よりも大きくするように設定する（ステップＳ１０７）。例えば、制御部１０７は、図７のように文字「A」に対してキーの面積よりも大きい入力領域１２１を設定し、文字「S」に対してキーの面積よりも小さい入力領域１２２を設定する。
【００２７】
入力領域の設定後、設定後の入力領域に基づき、入力検出部１０４は、ユーザの指等の押下物と入力領域との接触面積を検出する（ステップＳ１０８）。図８より、文字「A」に関する接触面積は接触面積１３１、文字「S」に関する接触面積は接触面積１３２となる。
【００２８】
制御部１０７は、入力検出部１０４による接触面積の検出結果に基づいて、接触面積の最も大きい入力領域に対応する文字（「A」）をメイン表示部１１１に表示すべき文字として受け付ける（ステップＳ１０９）。
【００２９】
表示すべき文字（「A」）が母音であるため、制御部１０７は、表示すべき文字をかな変換してメイン表示部１１１に表示する（ステップＳ１０４）。つまり、前回の入力で文字「h」がメイン表示部１１１に表示されているので、制御部１０７は、「h」と「a」の構成により対応するひらがな（かな文字）「は」を図９のようにメイン表示部１１１に表示する。受け付けられた文字をメイン表示部１１１に表示した後、制御部１０７は、触感呈示部１０６を制御して入力検出部１０４を振動させることにより、押下物に触感を呈示することができる（ステップＳ１０５）。なお、制御部１０７は、受け付けられた文字が複数のキーにまたがる入力によるものか否かで、異なる触感が押下物に呈示されるように触感呈示部１０６を制御することができる。
【００３０】
このように本実施形態では、入力装置１０１の制御部１０７は、入力検出部１０４が複数の入力領域にまたがる入力を検出すると、メイン表示部１１１に表示されている文字と記憶部１０５に記憶されている文字配列パターンとの比較により、複数の入力領域にまたがる入力で入力されるべき文字を予測し、予測された文字が割り当てられたキーの入力領域を予測されていない文字が割り当てられたキーの入力領域よりも大きくするように設定し、設定後の入力領域に基づき、入力の接触の度合いが最も大きい入力領域に対応するキーの文字を表示する。予測された文字が割り当てられたキーの入力領域が大きくなる分、押下物との接触面積も大きくなりやすい。そのため、予測された文字がメイン表示部１１１に表示されやすくなる。予測された文字はユーザの意図する文字である可能性が高いため、ユーザが誤って複数の入力領域にまたがる入力を行ってしまった場合に、ユーザの意図しない文字（誤った文字）がメイン表示部１１１に表示される可能性は低くなる。よって、誤った文字を訂正する回数は減り、文字入力作業の効率が上がる。
【００３１】
また、本実施形態では、制御部１０７は、メイン表示部１１１に表示されている文字と、記憶部１０５に記憶されている（正しい）文字配列パターンとの比較により、入力されるべき文字を予測することができる。これにより、（言語として正しい）単語や文章を成立させる文字や（正しく）かな変換される文字がメイン表示部１１１に表示されやすくなる。
【００３２】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各部材、各手段、各ステップ等に含まれる機能等は論理的に矛盾しないように再配置可能であり、複数の手段やステップ等を１つに組み合わせたり、或いは分割したりすることが可能である。
【００３３】
上述した本発明の実施形態の説明では、（正しい）文字配列パターンとしてかな文字に対応付けられるアルファベットの配列が記憶部１０５に記憶され、当該アルファベット配列に基づいて、入力されるべき文字の予測が行われる場合について想定されている。しかし、（正しい）文字配列パターンとして、かな文字に対応付けられるアルファベットの配列に限定されず、辞書に記載されている単語を構成する文字列を選択することもできる。例えば、ユーザが英単語「fantastic」を入力する際に、８文字目の「i」の入力で、誤って「I」のキーと「O」のキーとにまたがる入力を行ってしまったとする。このとき、制御部は、「fantasti」又は「fantasto」が（正しい）文字配列パターンを構成する文字列に該当するか否か判断する。「fantasto」を含む単語は英単語としては存在しないため、制御部は、入力されるべき文字は「i」であると予測する。そして、制御部は、図１０のように文字「I」の入力領域２２１を、文字「O」の入力領域２２２よりも大きくなるように設定する。「I」及び「O」は双方とも母音であるため、（正しい）文字配列パターンがかな文字に対応付けられるアルファベットの配列である場合には、「I」のみではなく「O」も入力されるべき文字として予測される。よって、（正しい）文字配列パターンが辞書に記載されている単語を構成する文字列である場合は、精度の高い予測が実現される。なお、仮に「fantasto」を含む単語が存在する場合は、制御部は、文字「i」により構成される単語の数と、文字「o」により構成される単語の数とを比較し、候補数の多い文字の入力領域を最も大きくすることができる。
【００３４】
また、本実施形態における入力装置１０１を、ある一定以上の押下荷重でキーが押下された場合に、制御部１０７は、当該キーに対応する文字を受け付ける構成とすることができる。この場合、入力装置１０１は、入力検出部１０４に対する押下荷重を検出するもので、例えば、歪みゲージセンサや圧電素子などの荷重に対して線形に反応する素子を用いて構成される荷重検出部を備えることになる。入力装置１０１が荷重検出部を備える場合、制御部１０６は、単なる振動ではなく、機械的なキーを押した際に感じられるカチッとした硬質的な触感（リアルなクリック感）を押下物に対して呈示するように触感呈示部１０６を制御することができる。リアルなクリック感を呈示するためには、例えば、ステップＳ１０５で、押下荷重がある値（例えば１Ｎ[ニュートン]）を超えると触感を呈示する設定にする。これにより、押下荷重がある値を超えるまでは、ユーザの圧覚を刺激し、押下荷重がある値を超えると、触感呈示部１０６により、入力検出部１０４を振動させてユーザの触覚を刺激することが可能になる。このように、ユーザの圧覚と触覚を刺激することにより、カチッとした硬質的な触感をユーザに呈示できる。入力検出部１０４自体は、押下されても機械的なキーのように物理的に変位しないが、上記のような触感をタッチ対象に呈示することにより、ユーザは、機械的なキーを操作した場合と同様のリアルなクリック感を得ることができる。これにより、ユーザは、押下によるフィードバックが本来ない入力検出部１０４への入力操作を違和感なく行うことが可能となる。カチッとした硬質的な触感は、例えば140Hz〜500Hzのサイン波を１周期又は矩形波を１周期呈示することにより実現できる。なお、触感呈示部１０６及び荷重検出部が圧電素子を用いて構成される場合には、圧電素子を共用して、触感呈示部１０６及び荷重検出部を構成することができる。圧電素子は、圧力が加わると電力を発生し、電力が加えられると変形するためである。
【００３５】
また、本実施形態の説明における「第１の表示部」と「第２の表示部」は、それぞれ別個のハードウェアにより２画面で構成されていてもよいし、１のハードウェアにより１画面で構成され、２つの表示領域により構成されていてもよい。また、文字が割り当てられたキーを複数表示する第１の表示部は、入力検出部と一体となって構成され、タッチセンサ上にキー等を描画することにより、該キーを表示すると共に、該キーに対する入力を検出してもよい。
【００３６】
また、本実施形態における入力装置１０１は、文字配列パターンを記憶する記憶部１０５の代わりに、文字配列パターンが記憶されているサーバと通信を行う通信部を備えることができる。このような入力装置１０１においては、制御部１０７が、入力検出部１０４が複数の入力領域にまたがる入力を検出すると、第２の表示部（メイン表示部１１１）に表示されている文字とサーバに記憶されている文字配列パターンとを通信部を介してサーバと通信を行うことにより比較し、該比較により、前記複数の入力領域にまたがる入力で入力されるべき文字を予測し、該予測された文字が割り当てられたキーの入力領域を、前記予測により予測されていない文字が割り当てられたキーの入力領域よりも大きくするように設定し、該設定後の入力領域に基づき、前記入力の前記接触の度合いが最も大きい入力領域に対応する文字のキーを表示するように第２の表示部を制御することにより、入力装置１０１に、文字配列パターンを記憶する記憶部１０５が無くとも、文字配列パターンが記憶されているサーバを用いることにより、上述した実施形態における入力装置１０１と同様な効果を得ることができる。
【００３７】
また、本実施形態における入力装置１０１は、文字配列パターンを記憶する記憶部１０５を備えているが、この記憶部１０５は、入力装置１０１にＵＳＢ等のインターフェースにより接続可能な外部記憶部も含むことに留意されたい。
【符号の説明】
【００３８】
１０１  入力装置
１０２  タッチパネル
１０３  表示部
１０４  入力検出部
１０５  記憶部
１０６  触感呈示部
１０７  制御部
１１１  メイン表示部
１１２  キー表示部
１２１、１２２、２２１、２２２  入力領域
１３１、１３２  接触面積
【図１】
0005463241.tif 000002
【図２】
0005463241.tif 000003
【図３】
0005463241.tif 000004
【図４】
0005463241.tif 000005
【図５】
0005463241.tif 000006
【図６】
0005463241.tif 000007
【図７】
0005463241.tif 000008
【図８】
0005463241.tif 000009
【図９】
0005463241.tif 000010
【図１０】
0005463241.tif 000011
【図１１】
0005463241.tif 000012
【図１２】
0005463241.tif 000013